(57)【要約】  【課題】  必ずデータ領域の先頭から読み出しを行うに際して、ＩＤ３タグ情報が長い場合であっても、ＭＰ３方式の音声データであると判別したときに、この音声データを可及的迅速に出力させることのできるＭＰ３方式音声データの再生処理方法を提供する。  【解決手段】  ミュ−ティング状態でデータ領域の先頭から読み出す再生動作を開始して音声データを読み出したときに、その読み出した音声データがＭＰ３方式で圧縮符号化されたものであるか否かを判別し、その判別結果がＭＰ３方式である場合に限り、その判別した時点でＭＰ３デコーダに転送している音声データのアドレスＡ2 または次にリード要求している音声データのアドレスＡ1 を取得し、その取得したアドレスＡ2 ，Ａ1 から再生方向とは逆方向に所定のセクタだけ後退した位置Ｂ2 ，Ｂ1 に再生機構３を戻して、ミューティング状態を解除したのちに再生動作を再開する。【選択図】    図４
2005190571.tif 000002
【特許請求の範囲】
【請求項１】
データ領域の先頭からＩＤ３タグ情報および音声データの順で記録されたデータフォーマットを有する記録媒体を前記データ領域の先頭から再生処理するに際して、
ミュ−ティング状態で前記データ領域の先頭から読み出す再生動作を開始して音声データを読み出したときに、その読み出した音声データがＭＰ３方式で圧縮符号化されたものであるか否かを判別し、
その判別結果がＭＰ３方式である場合に限り、その判別した時点でＭＰ３デコーダに転送している音声データのアドレスを取得し、
その取得したアドレスから再生方向とは逆方向に所定のセクタだけ後退した位置に再生機構を戻して、ミューティング状態を解除したのちに再生動作を再開することを特徴とするＭＰ３方式音声データの再生処理方法。
【請求項２】
取得したアドレスから４０〜５０セクタだけ再生方向とは逆方向に後退した位置に再生機構を戻すようにした請求項１に記載のＭＰ３方式音声データの再生処理方法。
【請求項３】
データ領域の先頭からＩＤ３タグ情報および音声データの順で記録されたデータフォーマットを有する記録媒体を前記データ領域の先頭から再生処理するに際して、
ミュ−ティング状態で前記データ領域の先頭から読み出す再生動作を開始して音声データを読み出したときに、その読み出した音声データがＭＰ３方式で圧縮符号化されたものであるか否かを判別し、
その判別結果がＭＰ３方式である場合に限り、その判別した時点で次にリード要求している音声データのアドレスを取得し、
その取得したアドレスから再生方向とは逆方向に所定のセクタだけ後退した位置に再生機構を戻して、ミューティング状態を解除したのちに再生動作を再開することを特徴とするＭＰ３方式音声データの再生処理方法。
【請求項４】
取得したアドレスから１３０セクタだけ再生方向とは逆方向に後退した位置に再生機構を戻すようにした請求項３に記載のＭＰ３方式音声データの再生処理方法。
【請求項５】
データ領域の先頭からＩＤ３タグ情報および音声データの順で記録されたデータフォーマットを有する記録媒体を前記データ領域の先頭から再生処理するに際して、
ミュ−ティング状態で前記データ領域の先頭から再生動作を開始して前記ＩＤ３タグ情報の先頭に記録されている当該ＩＤ３タグ情報のサイズデータを取得し、
そのサイズデータのバイト分だけ再生方向側に進めた位置のアドレスを算出し、
その算出したアドレスまで飛び越すように再生機構を進めたのちに再生動作を再開し、  その再生動作により音声データを読み出したときに、その音声データがＭＰ３方式で圧縮符号化されたものであるか否かを判別し、
その判別結果がＭＰ３方式である場合に限り、前記算出したアドレスまで前記再生機構を戻して、ミューティング状態を解除したのちに再生動作を再開することを特徴とするＭＰ３方式音声データの再生処理方法。
【発明の詳細な説明】
【技術分野】
【０００１】
本発明は、データ領域の先頭からＩＤ３タグ情報およびＭＰ３方式で圧縮符号化した音声データの順に並べたデータフォーマットで記録された記録媒体をデータ領域の先頭から読み出す際の再生処理方法に関するものである。
【背景技術】
【０００２】
近年では、音楽などのデジタルデータが広く出回るようになったのに伴い、音楽をデジタルデータで保存する際のデータ形式として、ＭＰ３（MPEG Audio Layer−３）方式に代表される音声圧縮技術が注目されている。このＭＰ３方式は、世界的な画像情報圧縮の規格団体であるＭＰＥＧ（Motion Picture Experts Group）で規格化された音楽データの圧縮符号化方式の一つで、このＭＰ３方式を利用すると、容量を元の容量の１０分の１程度まで圧縮できるにも拘わらず、ＭＰ３方式ＤＶＤプレーヤなどの楽曲再生装置で再生した際に、音楽ＣＤと同等の良好な音質が得られるという特徴を有する。
【０００３】
上記ＭＰ３方式の音声データは、例えば、利用者がパーソナルコンピュータなどを使用して、音楽ＣＤに記録された楽曲データを所定の変換ソフトに基づきエンコードすることにより得られる他に、インターネットなどを利用して、利用者が所定の音楽配信サイトからダウンロードすることによっても得られる。利用者は、上述のようにして得られたＭＰ３方式の音楽データを、例えばＣＤ−Ｒなどの記録媒体に書き込むことにより、利用者オリジナルのオーディオＣＤやＣＤ−ＲＯＭなどの記録媒体を作成することができる。
【０００４】
ところが、上記ＭＰ３方式は、音楽データを圧縮するためのフォーマットであり、その音楽データの曲名やアーティスト名などの文字情報を保持する仕様になっていない。そこで、このような文字情報を音楽データとともに記録媒体に保持しておきたいという要望から、ＭＰ３ファイルの先頭に設けたデータ領域に曲名、アーティスト名およびアルバム名などの付属文字情報を記録するデータフォーマットが提案されている。このデータフォーマットに記録される付属文字情報はＩＤ３タグ情報と呼ばれている。
【０００５】
上記ＩＤ３タグ情報は、主として、パーソナルコンピュータなどを使用して内容を確認する目的で付加された文字情報であって、ＭＰ３方式ＤＶＤプレーヤなどの楽曲再生装置で音楽データを再生する際には再生不要なものである。ところが、上記ＩＤ３タグ情報をデータ領域の先頭に記録したデータフォーマットの記録媒体を再生する楽曲再生装置では、上述のようにＩＤ３タグ情報の再生が不要であるにも拘わらず、データ領域の先頭のＩＤ３タグ情報から自動的に読み出す機構になっているため、このＩＤ３タグ情報の読み出しが終わるまで無駄な待ち時間が生じることになる。
【０００６】
一方、従来では、ＭＰ３方式で圧縮符号化された音楽データに付加されているＩＤ３タグ情報の読み込みの有無を任意に指定して、読み込み不要と指定した場合に直ちに音楽データの再生を開始するようにしたオーディオ再生装置が提案されている（例えば、特許文献１参照）。また、従来では、種別情報がＭＰ３方式の音楽データであるか否かを判別して、容易な操作により所望の音楽テータを再生できるようにした車載用再生装置も提案されている（例えば、特許文献２参照）。
【特許文献１】特開２００２−２４５７２０号公報
【特許文献２】特開２００１−２６６４７０号公報
【発明の開示】
【発明が解決しようとする課題】
【０００７】
ＩＤ３タグ情報をデータ領域の先頭に記録したデータフォーマットの記録媒体を再生する従来の楽曲再生装置では、音声信号が出力しないようにミューティング状態とした上で、データ領域の先頭のＩＤ３タグ情報から再生動作を開始して、音楽データを読み出した時点でそれがＭＰ３方式で圧縮符号化された音楽データであるか否かの判別を行い、ＭＰ３方式であると判別した時点で再びデータ領域の先頭に戻ったのちに、ミューティング状態を解除した上で再びＩＤ３タグ情報から読み出しを開始する機構になっている。
【０００８】
これに対し、前者のオーディオ再生装置では、ＩＤ３タグ情報がＭＰ３ファイルの末尾のデータ領域に付加されたデータフォーマットの記録媒体に対してＩＤタグ情報の読み込みの有無を指定するものであるから、ＩＤ３タグ情報をデータ領域の先頭に記録したデータフォーマットの記録媒体を再生する際には、やはりＩＤ３タグ情報の読み出しが終わるまで無駄な待ち時間が生じる不具合を解消することができない。そのため、特に、ＩＤ３タグ情報のサイズデータが長い場合には、利用者が再生指定する操作を行ってから音楽データが出力されるまでの待ち時間が長くなってしまう
また、後者の車載用再生装置は、楽曲データがフォルダ単位で階層化して記録されている記録媒体から所望の楽曲データを容易な操作で再生できることを目的としたものであるから、この車載用再生装置の再生技術は、データ領域の先頭に記録されたＩＤ３タグ情報が長い場合であっても必ずデータ領域の先頭から再生を行う楽曲再生装置において、音楽データが出力されるまでの待ち時間の短縮化を図る目的に何ら活用できない。
【０００９】
本発明は、前記従来の課題に鑑みてなされたもので、必ずデータ領域の先頭から読み出しを行う楽曲再生装置において、ＩＤ３タグ情報が長い場合であっても、ＭＰ３方式の音声データであると判別したときに、この音声データを可及的迅速に出力させることのできるＭＰ３方式音声データの再生処理方法を提供することを目的とするものである。
【課題を解決するための手段】
【００１０】
上記目的を達成するために、請求項１に係る発明のＭＰ３方式音声データの再生処理方法は、データ領域の先頭からＩＤ３タグ情報および音声データの順で記録されたデータフォーマットを有する記録媒体を前記データ領域の先頭から再生処理するに際して、ミュ−ティング状態で前記データ領域の先頭から読み出す再生動作を開始して音声データを読み出したときに、その読み出した音声データがＭＰ３方式で圧縮符号化されたものであるか否かを判別し、その判別結果がＭＰ３方式である場合に限り、その判別した時点でＭＰ３デコーダに転送している音声データのアドレスを取得し、その取得したアドレスから再生方向とは逆方向に所定のセクタだけ後退した位置に再生機構を戻して、ミューティング状態を解除したのちに再生動作を再開することを特徴としている。
【００１１】
請求項２に係る発明のＭＰ３方式音声データの再生処理方法は、請求項１の発明において取得したアドレスから４０〜５０セクタだけ再生方向とは逆方向に後退した位置に再生機構を戻すようにする。
【００１２】
請求項３に係る発明のＭＰ３方式音声データの再生処理方法は、データ領域の先頭からＩＤ３タグ情報および音声データの順で記録されたデータフォーマットを有する記録媒体を前記データ領域の先頭から再生処理するに際して、ミュ−ティング状態で前記データ領域の先頭から読み出す再生動作を開始して音声データを読み出したときに、その読み出した音声データがＭＰ３方式で圧縮符号化されたものであるか否かを判別し、その判別結果がＭＰ３方式である場合に限り、その判別した時点で次にリード要求している音声データのアドレスを取得し、その取得したアドレスから再生方向とは逆方向に所定のセクタだけ後退した位置に再生機構を戻して、ミューティング状態を解除したのちに再生動作を再開することを特徴としている。
【００１３】
請求項４に係る発明のＭＰ３方式音声データの再生処理方法は、請求項３の発明において取得したアドレスから１３０セクタだけ再生方向とは逆方向に後退した位置に再生機構を戻すようにする。
【００１４】
請求項５に係る発明のＭＰ３方式音声データの再生処理方法は、データ領域の先頭からＩＤ３タグ情報および音声データの順で記録されたデータフォーマットを有する記録媒体を前記データ領域の先頭から再生処理するに際して、ミュ−ティング状態で前記データ領域の先頭から再生動作を開始して前記ＩＤ３タグ情報の先頭に記録されている当該ＩＤ３タグ情報のサイズデータを取得し、そのサイズデータのバイト分だけ再生方向側に進めた位置のアドレスを算出し、その算出したアドレスまで飛び越すように再生機構を進めたのちに再生動作を再開し、その再生動作により音声データを読み出したときに、その音声データがＭＰ３方式で圧縮符号化されたものであるか否かを判別し、その判別結果がＭＰ３方式である場合に限り、前記算出したアドレスまで前記再生機構を戻して、ミューティング状態を解除したのちに再生動作を再開することを特徴としている。
【発明の効果】
【００１５】
請求項１の発明では、ＭＰ３方式の音声データであると判別した時点でＭＰ３デコーダに転送している音声データのアドレスを基準として所定のセクタ分だけ再生方向とは逆方向に後退した位置に再生機構を戻したのちに再生動作を再開しており、再生動作を再開する位置を、取得したアドレスから算出する所定のセクタ数によってＩＤ３タグ情報の末尾に正確に設定できるから、従来のようにＭＰ３方式で圧縮符号化された音声データであると判別した時点でＩＤ３タグ情報をこれの先頭から再び読み出す場合に比較して、ＭＰ３方式の音声データであると判別した時点から音声データが出力され始めるまでの時間を短縮化できる。特に、長いＩＤ３タグ情報が記録されている記録媒体では、利用者が再生指示の操作を行ってから音声出力されるまでの無音状態を格段に短くすることができる。しかも、ＭＰ３方式の音声データであると判別した時点でＭＰ３デコーダに転送している音声データのアドレスは時系列的に見て音声データの先頭に近いアドレスであるから、再生機構を戻す距離を短く設定でき、音声データが出力され始めるまでの時間を一層短縮化できる。
【００１６】
請求項２の発明では、ＭＰ３方式の音声データであると判別した時点でＭＰ３デコーダに転送している音声データのアドレスを基準として、音声データの先頭に対し確実に手前側で、且つ可及的に近接したＩＤ３タグ情報の末尾の位置に戻すためのセクタ数を予め実験的に求めており、これにより、音声データが先頭部分を飛ばして途中から出力されるといった不具合が生じるおそれがない。
【００１７】
請求項３の発明では、ＭＰ３方式の音声データであると判別した時点で次にリード要求している音声データのアドレスを基準として所定のセクタ分だけ再生方向とは逆方向に後退した位置に再生機構を戻したのちに再生動作を再開しており、再生動作を再開する位置を、取得したアドレスから算出する所定のセクタ数によってＩＤ３タグ情報の末尾に正確に設定できるから、従来のようにＭＰ３方式で圧縮符号化された音声データであると判別した時点でＩＤ３タグ情報をこれの先頭から再び読み出す場合に比較して、ＭＰ３方式の音声データであると判別した時点から音声データが出力され始めるまでの時間を短縮化できる。特に、長いＩＤ３タグ情報が記録されている記録媒体では、利用者が再生指示の操作を行ってから音声出力されるまでの無音状態を格段に短くすることができる。
【００１８】
請求項４の発明では、ＭＰ３方式の音声データであると判別した時点で次にリード要求している音声データのアドレスを基準として、音声データの先頭に対し確実に手前側で、且つ可及的に近接したＩＤ３タグ情報の末尾の位置に戻すためのセクタ数を予め実験的に求めており、これにより、音声データが先頭部分を飛ばして途中から出力されるといった不具合が生じるおそれがない。
【００１９】
請求項５の発明では、ＩＤ３タグ情報に対し先頭のサイズデータのみの読み出しを行うだけであって、この読み出し終了後に音声データの１番目のアドレスに飛び越して音声データの再生を行い、ＭＰ３方式で圧縮符号化された音声データであると判別したときに音声データの１番目のアドレスに戻って音声データの再生動作を再開するので、ＩＤ３タグ情報の読み出し時間を可及的に短縮でき、且つＭＰ３方式の音声データであると判別した時点から再生機構を戻す距離も極めて短くなるので、再生開始時から音声データが出力され始めるまでの時間を可及的に短縮化でき、利用者が再生指示の操作を行ってから音声出力されるまでの無音状態を殆ど無くすことができるとともに、音声データがその先頭部分を飛ばして途中から出力されるといった不具合が生じるおそれもない。
【発明を実施するための最良の形態】
【００２０】
以下、本発明の好ましい実施の形態について、図面を参照しながら詳細に説明する。図１は、本発明の第１の実施の形態に係るＭＰ３方式音声データの再生処理方法を具現化するための楽曲再生装置を示すブロック構成図であり、この実施の形態では、ＭＰ３方式ＤＶＤプレーヤを例示してある。このＭＰ３方式ＤＶＤプレーヤは、データ領域の先頭からＩＤ３タグ情報および音声データの順で記録されたデータフォーマットを有する記録媒体１をそのデータ領域の先頭から再生処理する機構になっている。
【００２１】
図１において、上記記録媒体１は、スピンドルモータ２により回転されながら、記録されているデータが光学式ピックアップ３により読み出される。上記ピックアップ３は、トラッキングモータ４により記録媒体１の半径方向に移動される。このトラッキングモータ３と上記スピンドルモータ２とはサーボ制御システム７によって回転制御される。
【００２２】
上記ピックアップ３は、記録媒体１からの反射光の強さに基づき読み取った記録データであるＲＦ信号をデジタル信号処理部８に対し送出する。デジタル信号処理部８は、ＲＦ信号をデジタルデータに変換する信号処理を行い、このデジタルデータをエラー訂正などを行ったのちに出力する。このデジタル信号処理部８から出力されたデジタルデータは、バッファメモリ９に順次送られて一時記憶される。
【００２３】
システムコントローラ１０は、利用者のキー操作により操作部１１から入力する各種の指令信号に基づき装置全体を制御する。すなわち、システムコントローラ１０のＣＰＵ１２は、操作部１１からの各種指令信号をバックエンド処理部１３を介し受け取ることにより、ＲＯＭ１４に格納されているＭＰ３方式音声データの各種制御プログラムおよびアプリケーションプログラムなどを読み出し、且つＲＡＭ１７内のプログラム格納領域に一時記憶して、各種処理を実行し、この処理に際して生じる各種データをＲＡＭ１７内に一時的に記憶する。
【００２４】
例えば、ＣＰＵ１２は、バックエンド処理部１３から再生指令信号を受け取ったときに、フロントエンド処理部１８に対し所要のアドレスを順次指定して記録媒体１のリード要求を行う。フロントエンド処理部１８は、リード要求されたアドレスに基づきサーボ制御システム７を制御するとともに、バッファメモリ９に一時記録されているデジタルデータをアドレス指定して順次読み出す。このバッファメモリ９から読み出されたデジタルデータはＭＰ３デコーダ１９に送られ、ＭＰ３デコーダでは、入力したデジタルデータのうちのＭＰ３方式で圧縮符号化された音声データを伸長して元の信号に複合化する。この複号化されたデジタルシデータは、Ｄ／Ａコンバータ２０でアナログデータに変換されて再生音声信号として音声出力端子２１から図示省略したスピーカまたはイヤホンやヘッドホンに対し出力される。
【００２５】
上記楽曲再生装置は、上述したように記録媒体１のデータ領域の先頭から読み出しを行う機構になっており、その読み出し動作は、ＭＰ３デコーダ１９内のミューティグ部１９ａをオン状態に設定して開始される。このようにミューティング状態に設定するのは、上記楽曲再生装置がＭＰ３方式以外のファイルフォーマットのデータが記録された記録媒体１をも再生対象としたものであるので、ＩＤ３タグ情報に続いてＭＰ３方式以外のファイルフォーマットのデータが再生されたときに、異音が出力されてしまうのを防止するためである。
【００２６】
そして、上記ＭＰ３デコーダ１９は、バッファメモリ９から読み出されて入力した音声データが複号化可能なデジタルデータつまりＭＰ３方式で圧縮符号化されたデジタルデータである場合に、解読可能であることを示すフラグを立てる。ＣＰＵ１２は、バックエンド処理部１３を介して上記フラグが立っていると判断したときにＭＰ３方式で圧縮符号化された音声データであると判別して、バックエンド処理部１３を対してＭＰ３デコーダ１９内のミューティグ部１９ａをオフ状態つまりミューティング状態を解除するよう指令する。
【００２７】
つぎに、第１の実施の形態のＭＰ３方式音声データの再生処理方法におけるＣＰＵ１２の制御処理について、図２のフローチャートおよび図３の動作説明図を参照しながら説明する。図２において、ＣＰＵ１２は、操作部１１からの再生指令信号がバックエンド処理部１３を介して入力するのを待ち（ステップＳ１）、再生指令信号が入力したときに、フロントエンド処理部１８に対し記録媒体１の読み出しを開始するよう指令する（ステップＳ２）。この読み出し指令を受けたフロントエンド処理部１８は、サーボ制御システム７を介してスピンドルモータ２およびトラッキングサーボモータ４を回転制御する。これにより、ピックアップ３は、記録媒体１の最内周から半径方向外方に向け移動されながら、記録媒体１のデータ領域の先頭から記録データの読み取りを行い、その読み取ったＲＦ信号をデジタル信号処理部８に対し送出する。デジタル信号処理部８ではＲＦ信号をデジタルデータに変換して出力し、このデジタルデータがバッファメモリ９に順次送られて一時記憶されていく。
【００２８】
上述のように記録媒体１の再生動作が開始されてバッファメモリ９にデジタルデータが一時記憶され始めると、フロントエンド処理部１３は、先頭のアドレスから順次指定することによりバッファメモリ９からデジタルデータを読み出してＭＰ３デコーダ１９に入力させる。この再生動作は、図３に示すように、記録媒体１のデータ領域の最内周に記録されているＩＤ３タグ情報の先頭から読み出していき、ＩＤ３タグ情報の読み出し終了後に音声データの読み出しを開始する手順で行われる。
【００２９】
ＣＰＵ１２は、上記再生動作が開始されると、フロントエンド処理部１８を通じて音声データがバッファメモリ９から読み出されるのを監視し（ステップＳ３）、音声データが読み出されたと判別したときに、バックエンド処理部１３を通じてＭＰ３デコーダ１９にフラグが立ったか否かの判断に基づき再生音声データがＭＰ３方式で圧縮符号化されたものであるか否かの判別を行う（ステップＳ４）。すなわち、ＣＰＵ１２は、再生した音声データがＭＰ３デコーダ１９で複号化が可能か否かの別によりＭＰ３方式で圧縮符号化されたものであるか否かの判別を行う。但し、このときにＭＰ３デコーダ１９で複号化されたＭＰ３方式のデータは、ＭＰ３デコーダ１９のミューティング部１９ａがオンに設定されていることによって出力するのが阻止される。
【００３０】
ＣＰＵ１２は、再生した音声データがＭＰ３方式で圧縮符号化されたものであると判別したときに、その判別時点においてフロントエンド処理部１８がサーボ制御システム７に対しリード要求しているアドレスを取得し（ステップＳ５）、その直後に、フロントエンド処理部１８に対し再生動作を停止させるよう指令する（ステップＳ６）。続いて、ＣＰＵ１２は、記録媒体１における上述の取得したアドレスから再生方向とは逆方向に１３０セクタだけ後退した位置にピックアップ３をアクセスさせたのちに、そのアクセスした位置から再生動作を再開するようフロントエンド処理部１８に対し指令する（ステップＳ７）。
【００３１】
上述の一連の制御処理を図３を参照して説明すると、データ領域の先頭から読み出し動作を開始して、上述のアドレスＡ1 を取得した時点で読み出し動作を停止したのち、上記アドレスＡ1 から再生方向とは逆方向に１３０セクタ後退した位置Ｂ1 をアクセスし、そのアクセスした位置Ｂ1 から読み出し動作を再開する。上記アクセスは、通常、各セクタ毎に固有のアドレスが付されているので、上記取得したアドレスＡ1 に対し１３０セクタだけ再生方向とは逆方向に後退した位置Ｂ1 のアドレスを演算により求めて、その求めたアドレスにピックアップ３を移動させる手順で行われる。
【００３２】
ところで、上記１３０セクタは、実験的に求めたものであって、上記のように取得するアドレスＡ1 から、音声データの先頭アドレスよりも確実に再生方向とは逆方向側であって、できるだけ音声データの先頭アドレスに近接した位置Ｂ1 に至るまでのセクタ数である。これにより、上記位置Ｂ1 から再生動作を再開したときには、記録されている音声データをこれの先頭から確実に読み出すことができる。
【００３３】
ＣＰＵ１２は、上記位置Ｂ1 をアクセスしたのちに読み出し動作を再開する指令をフロントエンド処理部１８に与えると同時に、バックエンド処理部１３を介しＭＰ３デコーダ１９のミューティング部１９ａをオフするよう指令する（ステップＳ８）。したがって、図３に示すように、上記位置Ｂ1 から再生動作を再開して最初の音声データが読み出された時ｔ1 には、この音声データがＭＰ３デコーダ１９で複号化されのちに、Ｄ／Ａコンバータ２０でアナログ信号に変換されて、音声出力端子２１から出力される（ステップＳ９）。
【００３４】
なお、ＣＰＵ１２は、読み出した音声データがＭＰ３方式で圧縮符号化されたものではないと判別（ステップＳ４）したときに、ＭＰ３方式の音声データでないことを利用者に通知する（ステップＳ１０）。
【００３５】
上記再生処理方法では、ＭＰ３方式の音声データであると判別した時点で次にリード要求しているアドレスから所定のセクタ分だけ再生方向とは逆方向に戻したＩＤ３タグ情報の末尾の位置から再生動作を再開するので、従来のようにＭＰ３方式で圧縮符号化された音声データであると判別した時点でデータ領域の先頭位置まで戻って再生動作を再開してＩＤ３タグ情報を最初から読み出す場合に比較して、ＭＰ３方式の音声データであると判別した時点から音声データが出力され始めるまでの時間が相当に短縮化される。特に、長いＩＤ３タグ情報が記録されている記録媒体１を再生する場合には、利用者が操作部１１により再生指示の操作を行ってから音声出力されるまでの無音状態を格段に短くすることができる。しかも、上記再生処理方法では、音声データの先頭アドレスよりも確実に再生方向とは逆方向側であって、できるだけ音声データの先頭アドレスに近接した位置Ｂ1 に戻すためのセクタ数を予め実験的に求めているので、音声データが先頭部分を飛ばして途中から出力されるといった不具合が生じるおそれがない。
【００３６】
図４は本発明の第２の実施の形態におけるＣＰＵ１２の制御処理を示すフローチャートであり、この実施の形態の再生処理方法においても、図１の楽曲再生装置に適用して具現化するので、図１の各構成要素の符号を用いて図４の説明を行う。図４のステップＳ１１〜Ｓ１４では、それぞれ図２のステップＳ１〜Ｓ４と全く同様の処理を行うので、重複する説明を省略して、ステップＳ１５の処理から説明する。
【００３７】
ＣＰＵ１２は、再生した音声データがＭＰ３方式で圧縮符号化されたものであると判別（ステップＳ１４）したときに、その判別時点においてバッファメモリ９から読み出してＭＰ３デコーダ１９に転送されている音声データのアドレスをフロントエンド処理部１８を介し取得し（ステップＳ１５）、その直後に、フロントエンド処理部１８に対し再生動作を停止させるよう指令する（ステップＳ１６）。続いて、ＣＰＵ１２は、記録媒体１における上述の取得したアドレスから再生方向とは逆方向に４０セクタだけ後退した位置にピックアップ３をアクセスさせたのちに、そのアクセスした位置から再生動作を再開するようフロントエンド処理部１８に対し指令する（ステップＳ７）。
【００３８】
上記一連の処理を図５により説明すると、データ領域の先頭から読み出し動作を開始して、上述のアドレスＡ2 を取得した時点で読み出し動作を停止したのち、上記アドレスＡ2 から再生方向とは逆方向に４０セクタだけ後退した位置Ｂ2 をアクセスし、そのアクセスした位置Ｂ2 から読み出し動作を再開する。上記アクセスは、上記取得したアドレスＡ2 に対し４０セクタだけ再生方向とは逆方向に後退した位置Ｂ2 のアドレスを演算により求めて、その求めたアドレスにピックアップ３を移動させる手順で行う。
【００３９】
ところで、上記１３０セクタは、実験的に求めたものであって、上記のように取得するアドレスＡ2 から、音声データの先頭アドレスよりも確実に再生方向とは逆方向側であって、できるだけ音声データの先頭アドレスに近接した位置Ｂ2 に至るまでのセクタ数である。これにより、上記位置Ｂ2 から再生動作を再開したときには、記録されている音声データをこれの先頭から確実に読み出すことができる。
【００４０】
ＣＰＵ１２は、上記位置Ｂ2 をアクセスしたのちに読み出し動作を再開する指令をフロントエンド処理部１８に与える同時に、バックエンド処理部１３を介しＭＰ３デコーダ１９のミューティング部１９ａをオフするよう指令する（ステップＳ１８）。したがって、図５に示すように、上記位置Ｂ2 から再生動作を再開して最初の音声データが再生された時ｔ2 には、この読み出されてＭＰ３デコーダ１９で複号化された音声データが、ＭＰ３デコーダ１９から出力されて、Ｄ／Ａコンバータ２０でアナログ信号に変換されたのちに音声出力端子２１から出力される（ステップＳ１９）。
【００４１】
なお、ＣＰＵ１２は、読み出した音声データがＭＰ３方式で圧縮符号化されたものではないと判別（ステップＳ１４）したときに、ＭＰ３方式の音声データでないことを利用者に通知する（ステップＳ２０）。
【００４２】
この再生処理方法では、ＭＰ３方式の音声データであると判別した時点でＭＰ３デコーダ１９に転送中の音声データのアドレスから所定のセクタ分だけ再生方向とは逆方向に戻したＩＤ３タグ情報の末尾の位置から再生動作を再開するので、従来のようにＭＰ３方式で圧縮符号化された音声データであると判別した時点でデータ領域の先頭位置まで戻って再生動作を再開してＩＤ３タグ情報を最初から読み出す場合に比較して、ＭＰ３方式の音声データであると判別した時点から音声データが出力され始めるまでの時間が相当に短縮化される。特に、長いＩＤ３タグ情報が記録されている記録媒体１を再生する場合には、利用者が操作部１１により再生指示の操作を行ってから音声出力されるまでの無音状態を格段に短くすることができる。
【００４３】
また、上記再生処理方法では、音声データの先頭アドレスよりも確実に再生方向とは逆方向側であって、できるだけ音声データの先頭アドレスに近接した位置Ｂ2 に戻すためのセクタ数を予め実験的に求めているので、音声データが先頭部分を飛ばして途中から出力されるといった不具合が生じるおそれがない。
【００４４】
しかも、図５と図３との比較から明らかなように、第１の実施の形態ではＭＰ３方式で圧縮符号化された音声データであると判別した時点でフロントエンド処理部７が次にリード要求しているアドレスＡ1 を基準として所定セクタ数だけリターンした位置Ｂ1 から再生動作を開始するのに対し、この実施の形態では、ＭＰ３方式で圧縮符号化された音声データであると判別した時点でＭＰ３デコーダ１９に転送中の音声データのアドレスＡ2 を基準として所定セクタ数だけリターンした位置Ｂ1 から再生動作を開始している。
【００４５】
すなわち、この実施の形態において取得するアドレスＡ2 は、第１の実施の形態で取得するアドレスＡ1 よりも時系列的に早い時点のものであるから、この実施の形態では、音声データの先頭アドレスよりも確実に再生方向とは逆方向側であって、できるだけ音声データの先頭アドレスに近接した位置Ｂ2 に戻すためのセクタ数（実施の形態では４０セクタ）が第１の実施の形態のセクタ数（実施の形態では１３０セクタ）に比較して小さくなるので、ピックアップ３を戻す距離が第１の実施の形態よりも短くなり、再生開始時から音声データが出力され始めるまでの時間を一層短縮化できる利点がある。
【００４６】
図６は本発明の第３の実施の形態におけるＣＰＵ１２の制御処理を示すフローチャートであり、この実施の形態の再生処理方法においても、図１の楽曲再生装置に適用して具現化するので、図１の各構成要素の符号を用いて図６の説明を行う。図６において、ＣＰＵ１２は、操作部１１からの再生指令信号がバックエンド処理部１３を介して入力するのを待ち（ステップＳ２１）、再生指令信号が入力したときに、フロントエンド処理部１８に対し記録媒体１の記録データの読み出し開始を指令する（ステップＳ２２）。
【００４７】
ＣＰＵ１２は、上述の記録媒体１の再生動作の開始を指令した直後に、フロントエンド処理部１８に対しＩＤ３タグ情報の先頭に記録されているＩＤ３タグ情報の長さをバイトで示すサイズデータを取得するよう指令する。この指令を受けたフロントエンド処理部１８は、ピックアップ３からデジタル信号処理部８を介してバッファメモリ９に送られた再生データ中から上記サイズデータを抽出してＣＰＵ１２に対し出力する。これにより、ＣＰＵ１２は、ＩＤ３タグ情報のサイズデータを取得する（ステップＳ２３）。
【００４８】
続いて、ＣＰＵ１２は、上記取得したサイズデータのバイト分だけ再生方向に進めた位置のアドレス、つまり音声データの１番目のアドレスを求める演算を行い、算出したアドレスまで飛び越した位置から再生動作を再開するようフロントエンド処理部１８に対し指令する。それにより、フロントエンド処理部１８は、ＩＤ３タグ情報の再生動作を中断させて、ＣＰＵ１２から指令を受けたアドレスから再生動作を再開するようサーボ制御システム７を制御する。これにより、ピックアップ３は、ＩＤ３タグ情報の先頭のサイズデータのみを読み出した時点で読み出し動作を中断して、ＩＤ３タグ情報のデータ領域を飛び越して音声データを先頭から読み出す再生動作を再開する（ステップＳ２４）。
【００４９】
つぎに、ＣＰＵ１２は、バックエンド処理部１３を通じてＭＰ３デコーダ１９にフラグが立ったか否かに基づき再生音声データがＭＰ３方式で圧縮符号化されたものであるか否かの判別を行う（ステップＳ２５）。ＣＰＵ１２は、再生した音声データがＭＰ３方式で圧縮符号化されたものであると判別したときに、フロントエンド処理部１８に対し、再生動作を停止させるよう指令し（ステップＳ２６）たのちに、上述の算出により取得済みのアドレスをアクセスしてそのアクセスした位置から再生動作を再開するよう指令する（ステップＳ２７）。このとき、ＭＰ３デコーダ１９で複号化されたＭＰ３方式のデータは、ＭＰ３デコーダ１９のミューティング部１９ａによって出力するのが阻止されている。
【００５０】
ＣＰＵ１２は、上記再生動作の再開を指令したのちに、バックエンド処理部１３を介しＭＰ３デコーダ１９のミューティング部１９ａをオフするよう指令する（ステップＳ２８）。これにより、再生動作を再開して最初の音声データが読み出されたときには、この読み出されてＭＰ３デコーダ１９で複号化された音声データが、ＭＰ３デコーダ１９から出力されて、Ｄ／Ａコンバータ２０でアナログ信号に変換されたのちに音声出力端子２１から出力される（ステップＳ２９）。
【００５１】
なお、ＣＰＵ１２は、読み出した音声データがＭＰ３方式で圧縮符号化されたものではないと判別（ステップＳ２５）したときに、ＭＰ３方式の音声データでないことを利用者に通知する（ステップＳ３０）。
【００５２】
この再生処理方法では、ＩＤ３タグ情報の先頭から読み出したサイズデータに基づき音声データのデータ領域の１番目のアドレスを算出して、その算出したアドレスまで飛び越して音声データの再生を開始し、再生した音声データがＭＰ３方式で圧縮符号化されたものであると判別したときに上記算出したアドレスに戻って音声データの再生動作を再開するので、ＩＤ３タグ情報に対してはこれの先頭のサイズデータのみの読み出しを行うだけであるとともに、ＭＰ３方式で圧縮符号化された音声データであると判別した時点で音声データの１番目のアドレスに戻って即座に音声データの再生動作を再開するので、ＩＤ３タグ情報の読み出しを殆ど行わないことから、再生開始時から音声データが出力され始めるまでの時間が第２の実施の形態よりもさらに短縮化され、利用者が操作部により再生指示の操作を行ってから音声出力されるまでの無音状態を殆ど無くすことができるとともに、音声データがその先頭部分を飛ばして途中から出力されるといった不具合が生じるおそれもない。
【産業上の利用可能性】
【００５３】
利用者が自身のオリジナルの記録媒体として作成したオーディオＣＤやＣＤ−ＲＯＭなどを楽曲再生装置で再生する場合に、音声データがその先頭部分を飛ばして途中から出力されるといった不具合の発生を確実に防止しながら、利用者が再生指示の操作を行ってから音声出力されるまでの無音状態を格段に短縮化することができる。
【図面の簡単な説明】
【００５４】
【図１】本発明の第１の実施の形態に係るＭＰ３方式音声データの再生処理方法を具現化する楽曲再生装置を示すブロック構成図である。
【図２】同上の実施の形態におけるＣＰＵの制御処理を示すフローチャートである。
【図３】同上の実施の形態の動作説明図である。
【図４】本発明の第２の実施の形態におけるＣＰＵの制御処理を示すフローチャートである。
【図５】同上の実施の形態の動作説明図である。
【図６】本発明の第３の実施の形態におけるＣＰＵの制御処理を示すフローチャートである。
【符号の説明】
【００５５】
１  記録媒体
３  ピックアップ（再生機構）
１０  システムコントローラ
１９  ＭＰ３デコーダ
１９ａ  ミューティング部
【図１】
2005190571.tif 000003
【図２】
2005190571.tif 000004
【図３】
2005190571.tif 000005
【図４】
2005190571.tif 000006
【図５】
2005190571.tif 000007
【図６】
2005190571.tif 000008